(57)【特許請求の範囲】
【請求項１】
本体枠と、第１のレンズ群を保持し前記本体枠に対し光軸方向に移動する第１の移動枠と、前記第１のレンズ群と組み合って固定焦点レンズを構成する第２のレンズ群を保持し前記本体枠に対し光軸方向に移動する第２の移動枠とを備え、１つのモータでこれら第１および第２の移動枠が前記本体枠に対し沈胴、繰出し自在に光軸方向に移動されるレンズ鏡胴であって、
繰出状態においては前記第１および第２の移動枠が相互に所定の間隔を保ちながら一体的に光軸方向に移動するとともに、繰出状態から沈胴状態に移動する過程において相互の間隔を挟めるものであることを特徴とするレンズ鏡胴。
【請求項２】
本体枠と、第１のレンズ群を保持し前記本体枠に対し光軸方向に移動する第１の移動枠と、前記第１のレンズ群と組み合って固定焦点レンズを構成する第２のレンズ群を保持し前記本体枠に対し光軸方向に移動する第２の移動枠とを備え、１つのモータでこれら第１および第２の移動枠双方が前記本体枠に対し光軸方向に移動されるレンズ鏡胴であって、
前記本体枠に固定されて光軸方向に延び前記第１および第２の移動枠双方の光軸方向の移動を案内するガイド軸を備え、
前記第１の移動枠が、前記ガイド軸により光軸方向の移動が案内される第１の案内部を、光軸方向に所定間隔を隔てて２つ備えるとともに、前記第２の移動枠が、前記ガイド軸により光軸方向の移動が案内される、前記第１の案内部どうしの間に配置された第２の案内部を備えたものであることを特徴とするレンズ鏡胴。
【請求項３】
前記第１の案内部のうちの一方と前記第２の案内部との間に、これら双方の案内部を付勢するバネ部材を備えたことを特徴とする請求項２記載のレンズ鏡胴。
【請求項４】
前記第１および第２の移動枠は、前記本体枠に対し沈胴、繰出し自在なものであって、繰出時には前記バネ部材の付勢力により相互に所定の間隔を保ちながら一体的に光軸方向に移動するとともに、沈胴時には前記バネ部材の付勢力に抗して相互の間隔を狭めた状態に保持されるものであることを特徴とする請求項２記載のレンズ鏡胴。
【発明の詳細な説明】
【０００１】
【発明の属する技術分野】
本発明は、固定焦点式のレンズ鏡胴に関する。
【０００２】
【従来の技術】
従来より、例えばカメラや電子カメラ等において様々なタイプのレンズ鏡胴が採用されており、そのうちの１つに固定焦点式のレンズ鏡胴がある。
【０００３】
【発明が解決しようとする課題】
近年、カメラや電子カメラ等の薄型化が要請されており、固定焦点式ではあっても沈胴式のレンズ鏡胴を採用することなどによりある程度の薄型化が実現されているが、従来の工夫以上に如何にして一層の薄型化を図るかが問題である。また、カメラや電子カメラ等のボディの内部には様々な部材や機構が無駄なスペースがほとんど存在しない位に密に配置されており、一層の小型化のためにシャッタをレンズ鏡胴内部に配置することが要請されることもある。この場合、単純にはレンズ鏡胴の光軸方向の寸法が大きくなり、仮に沈胴式を採用したとしてもボディを含めた全体としての薄型化の要請を満足できないことも考えられる。
【０００４】
本発明は、上記事情に鑑み、固定焦点式のレンズ鏡胴であって、このレンズ鏡胴を採用したカメラあるいは電子カメラ等の薄型化を図るのに適したレンズ鏡胴を提供することを目的とする。
【０００５】
【課題を解決するための手段】
上記目的を達成する本発明のレンズ鏡胴のうちの第１のレンズ鏡胴は、本体枠と、第１のレンズ群を保持し本体枠に対し光軸方向に移動する第１の移動枠と、上記第１のレンズ群と組み合って固定焦点レンズを構成する第２のレンズ群を保持し本体枠に対し光軸方向に移動する第２の移動枠とを備え、１つのモータでこれら第１および第２の移動枠が本体枠に対し沈胴、繰出し自在に光軸方向に移動されるレンズ鏡胴であって、
繰出状態においては第１および第２の移動枠が相互に所定の間隔を保ちながら一体的に光軸方向に移動するとともに、繰出状態から沈胴状態に移動する過程において相互の間隔を挟めるものであることを特徴とする。
【０００６】
本発明のレンズ鏡胴は、上記のような構成をとることにより、レンズ鏡胴の沈胴時の光軸方向の長さを縮めることができ、このレンズ鏡胴を採用したカメラや電子カメラを薄型化することができる。
【０００７】
また、上記目的を達成する本発明のレンズ鏡胴のうちの第２のレンズ鏡胴は、本体枠と、第１のレンズ群を保持し本体枠に対し光軸方向に移動する第１の移動枠と、上記第１のレンズ群と組み合って固定焦点レンズを構成する第２のレンズ群を保持し本体枠に対し光軸方向に移動する第２の移動枠とを備え、１つのモータでこれら第１および第２の移動枠双方が本体枠に対し光軸方向に移動されるレンズ鏡胴であって、
本体枠に固定されて光軸方向に延び上記第１および第２の移動枠双方の光軸方向の移動を案内するガイド軸を備え、上記第１の移動枠が、上記ガイド軸により光軸方向の移動が案内される第１の案内部を、光軸方向に所定間隔を隔てて２つ備えるとともに、上記第２の移動枠が、上記ガイド軸により光軸方向の移動が案内される、上記第１の案内部どうしの間に配置された第２の案内部を備えたものであることを特徴とする。
【０００８】
本発明の第２のレンズ鏡胴は、その移動枠が第１の案内部を２つ備え、それら２つの案内部の間に第２の移動枠の案内部を配置したため、モータで一方の移動枠を移動させるともう一方の移動枠もこれに従動することになる。すなわち第１および第２の案内部は光軸方向の移動のガイドを担うだけでなく、それらの案内部自体がそれら２つの移動枠の連携した移動を行なわせるための機構をも成しており、このような簡単な機構でそれら２つの移動枠の連携動作が可能となり、レンズ鏡胴の小型化に寄与することになる。
【０００９】
ここで、上記本発明の第２のレンズ鏡胴において、上記第１の案内部のうちの一方と上記第２の案内部との間に、これら双方の案内部を付勢するバネ部材を備えることが好ましい。  このバネ部材を備えると、使用状態において、２つの移動枠が所定の相対位置に確実に保たれることになる。
【００１０】
さらに、上記本発明の第２のレンズ鏡胴において、上記第１および第２の移動枠は、本体枠に対し沈胴、繰出し自在なものであって、繰出時には上記バネ部材の付勢力により相互に所定の間隔を保ちながら一体的に光軸方向に移動するとともに、沈胴時には上記バネ部材の付勢力に抗して相互の間隔を狭めた状態に保持されるものであることが好ましい。
【００１１】
このように構成することにより、このレンズ鏡胴の沈胴時の光軸方向の長さを一層縮めることができ、このレンズ鏡胴を採用したカメラや電子カメラを一層薄型化することができる。
【００１２】
【発明の実施の形態】
以下、本発明の実施形態について説明する。
【００１３】
図１は、本発明のレンズ鏡胴の一実施形態の構造をあらわす分解斜視図である。また、図２は、図１に示すレンズ鏡胴の光軸方向の断面図であり、図２（Ａ）は、繰出し状態のもの、図２（Ｂ）は沈胴状態のものである。尚、図２には、図示の繁雑さを避けるため、図１に示す各種部材のうちの一部は図示省略されている。
【００１４】
また、図３は、本実施形態における特徴部分をより明瞭に示すために一部の部材のみを示した、光軸方向の断面図（図３（Ａ）は繰出状態、図３（Ｂ）は沈胴状態）、図４は、図３に示す部材の組立状態を光軸方向前方から見たときの模式図である。
【００１５】
以下では、主に図１を参照しながら本実施形態の構造について説明し、必要に応じて他の図を参照することとする。
【００１６】
図１に示すように、本体２の前方には、リング状の防塵シート１が両面テープ（図示せず）で接着される。この本体２の内部には、後述する前移動枠１４が配置され本体２に対し繰出し、沈胴を行なうが、その際防塵シート１が前移動枠１４の外周面に接し、このレンズ鏡胴内部に塵埃が入り込まないようになっている。
【００１７】
また、本体２の下方には、基板５に固定されたフォトインタラプタ４が小ネジ６で固定される。このフォトインタラプタ４は、前移動枠１４の下方に突出した検知片１４１を検出するためのものであり、この前移動枠１４が本体２に対し最大限沈胴したときにフォトインタラプタ４により検知片１４１が検出され、これにより、後述するモータユニット８のモータ８１が停止するようになっている。
【００１８】
また、本体２には、光軸方向に延びる２本のガイド軸７ａ，７ｂが挿入されて本体２に固定される。これら２本のガイド軸７ａ，７ｂは、前移動枠１４および後移動枠１７の、光軸方向の移動を案内するためのものである。これら２本のガイド軸７ａ，７ｂのうちの一方のガイド軸７ａは、図３に示すように、前移動枠１４の２つの案内部１４２，１４３に設けられた案内孔１４２ａ，１４３ａに挿通されている。これら２つの案内部１４２，１４３は、光軸方向に互いに所定間隔を隔てた位置にあり、本発明にいう第１の案内部の一例に相当するものである。
【００１９】
また、これら２つの案内部１４２，１４３の中間には、後述する後移動枠１７の、筒状に形成された案内部１７１が配置されている。この案内部１７１は、本発明にいう第２の案内部の一例に相当する。その後移動枠１７の案内部１７１にも案内孔１７１ａが設けられ、ガイド軸７ａはその案内孔１７１にも挿通されている。さらにガイド軸７ａは、後述するベース１９に設けられた案内孔１９１にも挿通されている。前移動枠１４の２つの案内部１４２，１４３のうちの一方の案内部１４２と後移動枠１７の案内部１７１との間には圧縮バネ１８が配置されている。この圧縮バネ１８は双方の案内部１４２，１７１を付勢し、これにより前移動枠１４と後移動枠１７の相互の位置関係が保たれるようになっている。後移動枠１７の案内部１７１は、図４に示すように、湾曲したアーム１７２の先に設けられている。この後移動枠１７の案内部１７１がこのように湾曲したアーム１７２の先に設けられている理由は、後移動枠１７の本体部分は前移動枠１４の内側に配置され、後移動枠１７の案内部１７１を、その湾曲したアーム１７２により前移動枠１４の肉厚部分１４４（図１参照）を跨いで、あるいは迂回して、前移動枠１４の外壁から突出して設けられた２つの案内部１４２，１４３の中間に配置するためである。したがって、前移動枠１４に後移動枠１７を組み立てるにあたっては、後移動枠１７の案内部１７１が前移動枠１４の肉厚が切り欠かれた切欠部１４５（図１参照）に位置するように光軸を中心とした回転方向の正規の位置よりも少しだけ回転方向にずらして後移動枠１７を前移動枠１４内に配置し、その後、後移動枠１７を、図４に示す矢印Ａ方向に少し回転させることにより、前移動枠１４の２つの案内部１４２，１４３の中間部分に後移動枠１７の案内部１７１を配置する。こうすることにより、前移動枠１４と後移動枠１７が組み立てられる。
【００２０】
また、２本のガイド軸７ａ，７ｂのうちのもう一方のガイド軸７ｂは、前移動枠１４のもう１つの案内部１４６に嵌合し、さらに後移動枠１７のもう１つの案内部１７３に嵌合し、さらにベース１９のもう１つの案内孔１９２に挿通されている。前移動枠１４および後移動枠１７は、モータ８１が回転すると、それら２本のガイド軸７ａ，７ｂに案内されて光軸方向に移動する。その移動にあたっては、圧縮バネ１８の作用により、前移動枠１４と後移動枠１７の相対位置が保たれた状態で移動する。ただし、沈胴の最終段階では、後移動枠１７は、ベース１９に設けられた突起１９３（図１参照）に当接してそれ以上沈胴方向に移動できない状態となるが、前移動枠１４は圧縮バネ１８の付勢力に抗して前移動枠１４の検知片１４１がフォトインタラプタ４で検知されるまで沈胴方向になおも移動し、図２（Ｂ）、図３（Ｂ）に示すように、圧縮バネ１８をさらに圧縮させた状態で停止する。これにより、このレンズ鏡胴の、沈胴時の光軸方向の厚さが一層薄型化されている。
【００２１】
図１に戻ってこのレンズ鏡胴の構造についてさらに説明を続ける。
【００２２】
モータユニット８は、本体２の下部に小ねじ９ａ，９ｂにより固定される。
【００２３】
このモータユニット８にはバネ係止部８２が備えられており、このバネ係止部８２には、引張バネ１０の一端が引っ掛けられる。
【００２４】
この引張バネ１０の他端は、前移動枠１４のバネ係止部１４７に引っ掛けられる。モータユニット８には、当接部８３が設けられ、一方前移動枠１４にも当接部１４８が設けられ、引張バネ１０の作用によりそれら双方の当接部８３，１４８が互いに当接した状態に保たれる。このモータユニット８は、そのモータユニット８のバネ係止部８２および当接部８３がモータ８１の回転に応じて光軸方向に移動するように構成されており、これにより、モータ８１が回転すると前移動枠１４が光軸方向に駆動される。前移動枠１４が光軸方向に移動すると、その前移動枠１４の２つの案内部１４２，１４３と後移動枠１７の案内部１７１との相互作用、および圧縮バネ１８の作用により後移動枠１７が光軸方向に従動する。
【００２５】
このように、前移動枠１４の２つの案内部１４２，１４３と後移動枠１７の案内部１７１に、単に光軸方向の移動時の案内のみでなく、それら前移動枠１４と後移動枠１７との連携動作の作用を担わせており、したがってこの連携動作を行うための部材を別に設ける必要がなく、このレンズ鏡胴の小型化に寄与している。
【００２６】
ここで、前述したとおり、沈胴時には、先ず後移動枠１７がベース１９の突起１９３に当接してそれ以上沈胴方向に移動できない状態になった後も前移動枠１４は沈胴方向に移動し続け、フォトインタラプタ４と前移動枠１４の検知片１４１との作用により、圧縮バネ１８をさらに圧縮させた状態で停止する。これにより沈胴時のレンズ鏡胴の一層の薄型化が図られている。
【００２７】
図１に示す前レンズ枠１２にはレンズ前群１２１（図２参照）が保持されており、その前レンズ枠１２の前面には化粧板１１が貼付されている。この化粧板１１が貼付された前レンズ枠１２は、前移動枠１４に固定される。
【００２８】
また、後移動枠１７には、レンズ後群１７７（図２参照）が保持されており、その後移動枠１７の前方にシャッタユニット１５が小ネジ１６ａ，１６ｂにより固定される。このようにシャッタユニット１５が固定された後移動枠１７は、前移動枠１４の２つの案内部１４２，１４３の間に後移動枠１７の案内部１７１が配置されるとともに、前移動枠１４の２つの案内部１４２，１４３のうちの一方の案内部１４２と後移動枠１７の案内部１７１との間に圧縮バネ１８が配置された状態となるように、前移動枠１４に組み立てられる。
【００２９】
この組み立てにあたっては、前述したように、後移動枠１７を光軸を中心とした正規の回転位置よりも少しだけ回転方向にずらした状態で後移動枠１７の本体部分を前移動枠１４の内部に配置し、後移動枠１７を少し回転させることにより正規の状態に組み立てられる。
【００３０】
ベース１９は、３つの小ネジ２０ａ，２０ｂ，２０ｃにより本体２の後部に固定される。このようにして、前移動枠１４と後移動枠１７との組立体が本体２の内部に設置され、モータ８１の回転により繰出し、沈胴が行われる状態に組み立てられる。
【００３１】
この実施形態は、電子カメラ用のレンズ鏡胴であり、ベース２０の後部には、光学的なローパスフィルタ２１、そのローパスフィルタ２１を保持するためのローパスフィルタ保持ゴム２２、受像用のＣＣＤ２３、およびＣＣＤ基準板２４がこの順に配置され、小ネジ２５ａ，２５ｂによりベース１９に固定される。
【００３２】
以上説明した実施形態は、本発明のレンズ鏡胴を電子カメラに適用した例であるが、本発明は、電子カメラ用のレンズ鏡胴にのみ適用されるものではなく、写真フィルム上に写真撮影を行なう従来からのタイプのカメラにも適用可能であり、その他ビデオカメラ等にも適用することができる。
【００３３】
【発明の効果】
以上説明したように、本発明によれば、小型化、薄型化されたレンズ鏡胴を提供することができる。
【図面の簡単な説明】
【図１】本発明のレンズ鏡胴の一実施形態の構造をあらわす分解斜視図である。
【図２】図１に示すレンズ鏡胴の光軸方向の断面図である。
【図３】図１に示すレンズ鏡胴の一部の部材のみを示した、光軸方向の断面図である。
【図４】図３に示す部材の組立状態を光軸方向前方から見たときの模式図である。
【符号の説明】
２  本体
４  フォトインタラプタ
７ａ，７ｂ  ガイド軸
８  モータユニット
１０  引張バネ
１２  前レンズ枠
１４  前移動枠
１５  シャッタユニット
１７  後移動枠
１８  圧縮バネ
１９  ベース
２３  ＣＣＤ
８１  モータ
８２  バネ係止部
８３  当接部
１２１  レンズ前群
１４１  検知片
１４２，１４３  案内部
１４２ａ，１４３ａ  案内孔
１４４  肉厚部分
１４５  切欠部
１４６  案内部
１４７  バネ係止部
１４８  当接部
１７１  案内部
１７１ａ  案内孔
１７２  アーム
１７３  案内部
１７７  レンズ後群
１９１，１９２  案内孔
１９３  突起
【図１】
0003642974.tif 000002
【図２】
0003642974.tif 000003
【図３】
0003642974.tif 000004
【図４】
0003642974.tif 000005